(57)【要約】【課題】遠隔見守りシステムにおいて、監視エリア外に設ける人体センサ解除スイッチのハード構成を極めて簡単にでき、しかもその解除操作が、ユーザにとっては容易であるが、第三者にとってはほとんど不可能であって、第三者により不測に監視が解除される虞れがなく監視システムとしての信頼性を高める。【解決手段】通常モード時にユーザがセンサ解除スイッチを操作して生成したハイ／ロー信号と、パターン登録モード時に登録したハイ／ロー信号について、両ハイ／ロー信号の反転回数ＱとＰ、及び各ハイ、ロー信号持続時間ＳｎとＴｎをそれぞれ比較し（Ｓ５０）、（Ｓ５３）、一致した場合に、両ハイ／ロー信号が同一パターンである（Ｓ５６）として、人体センサを解除する（Ｓ５７）。どちらかの比較（Ｓ５０）、（Ｓ５３）において、不一致であれば、人体センサは解除されない。【選択図】図４
2006065390.tif 000002
【特許請求の範囲】
【請求項１】
宅内に設置され、監視エリア内への人間の侵入を人体センサが検知することによって自動的に監視エリア内をカメラで撮影する宅内装置と、前記宅内装置にて撮影された画像を電話回線及びインターネットを介して受信すると共に、その画像をインターネット及び電話回線を介して携帯端末に送信するサーバ装置とを備えた遠隔見守りシステムにおいて、
前記宅内装置は、
宅内装置本体に設けた前記人体センサの入切スイッチと、
宅内装置本体から離間した監視エリア外の所定位置に設けられ、ユーザの操作によってハイ／ローの信号を宅内装置へ出力し、該ハイ／ローの信号に基づいて宅内装置が人体センサを不能動にする人体センサの解除スイッチと、
前記人体センサの入切スイッチ及び前記人体センサの解除スイッチに接続され各スイッチからの信号に基づいて宅内装置の動作を制御する制御部と、を備え、
前記制御部は、
前記人体センサの入切スイッチの入操作によって当該宅内装置を所定時間だけ通常モードからパターン登録モードに切替えるモード切替手段と、
前記モード切替手段によるパターン登録モードへの切替え時に、ユーザが前記人体センサ解除スイッチの操作を行うことによるハイ／ローの信号を受信し、該ハイ／ロー信号のハイ／ロー反転回数と各ハイ信号、ロー信号の持続時間を記憶して、それを信号パターンとして登録する登録手段と、
通常モード時に、前記人体センサ解除スイッチからのハイ／ロー信号を受信し、該ハイ／ロー信号のハイ／ロー反転回数と各ハイ信号、ロー信号の持続時間を認識して、それを前記登録手段に登録された信号パターンと比較する比較手段と、
前記比較手段による比較の結果が同一の信号パターンである場合に、前記人体センサを解除するセンサ解除手段と、を備えたことを特徴とする遠隔見守りシステム。
【請求項２】
宅内に設置され、監視エリア内への人間の侵入を人体センサが検知することによって自動的に監視エリア内をカメラで撮影する宅内装置と、前記宅内装置にて撮影された画像を電話回線及びインターネットを介して受信すると共に、その画像をインターネット及び電話回線を介して携帯端末に送信するサーバ装置とを備えた遠隔見守りシステムにおいて、
前記宅内装置は、
宅内装置本体から離間した監視エリア外に設けられ、ユーザの操作によって宅内装置への出力信号がハイ／ロー反転する人体センサの解除スイッチと、
前記人体センサの解除スイッチに接続され該スイッチからのハイ／ロー信号に基づいて人体センサの能動・不能動を制御する制御部と、を備え、
前記制御部は、
前記人体センサ解除スイッチからのハイ／ロー信号を受信し、該信号のパターンと事前に登録されたパターンとの一致不一致を判定して、一致の場合のみ前記人体センサを不能動にすることを特徴とする遠隔見守りシステム。
【請求項３】
前記信号パターンの要素が、ハイ／ロー信号のハイ／ロー反転回数と各ハイ信号、ロー信号の持続時間であることを特徴とする請求項２に記載の遠隔見守りシステム。
【請求項４】
前記制御部は、
前記人体センサ解除スイッチからのハイ／ロー信号を受信し、そのハイ／ロー反転回数と各ハイ信号、ロー信号の持続時間を記憶して、それを信号パターンとして登録する登録手段と、
前記人体センサ解除スイッチからのハイ／ロー出力信号を複数回受信し、その複数回の各ハイ信号、ロー信号の平均持続時間を前記登録手段に登録する平均化手段と、を備えたことを特徴とする請求項２に記載の遠隔見守りシステム。
【請求項５】
請求項２に記載の遠隔見守りシステムに用いられる宅内装置であって、
前記宅内装置本体から離間した監視エリア外に設けられ、ユーザの操作によって宅内装置への出力信号がハイ／ロー反転する人体センサの解除スイッチと、
前記人体センサの解除スイッチに接続され該スイッチからのハイ／ロー信号に基づいて人体センサの能動・不能動を制御する制御部と、を備え、
前記制御部は、
前記解除スイッチからのハイ／ロー信号を受信し、該信号のパターンと事前に登録されたパターンとの一致不一致を判定して、一致の場合のみ前記人体センサを不能動にすることを特徴とする宅内装置。
【発明の詳細な説明】
【技術分野】
【０００１】
本発明は、人体センサと、該人体センサによる人間の侵入の検知により自動的に監視エリアを撮影するカメラとを備えた宅内装置を自宅に設置し、ユーザが宅内装置の撮影画像を宅外から確認可能とすることにより自宅の安全確認等をできるようにした遠隔見守りシステム、及び遠隔見守りシステムに用いられる宅内装置に関するものである。
【背景技術】
【０００２】
従来から、宅内の撮影画像を宅外から確認可能とする遠隔見守りシステムが知られている。例えば、人体センサと、該人体センサによる人間の侵入の検知により自動的に監視エリアを撮影するカメラとを備えた宅内装置を自宅に設置し、宅内装置は、撮影した画像を電話回線及びインターネットを介してサーバ装置に送信し、サーバ装置は、さらに、その画像をインターネット及び電話回線を介してユーザの携帯端末に送信することで、ユーザが自宅外から宅内の様子を窺がうことができるシステムがある。ユーザは携帯端末に表示された画像を見て、撮影された人物が不審者であるのか、身内の人物で不審者ではないのかを判断できる利便性がある。
【０００３】
上記のシステムでは、人体センサが人間の侵入を検知して撮影した画像は、宅内装置が自動的にサーバ装置へインターネット経由又はダイアルアップ接続してサーバ装置へ送信し、サーバ装置は画像を受信すると共に新たな画像受信があったことをユーザの携帯端末へ電子メールで通知し、ユーザはその着信した電子メールを開いて初めて宅内への人間の侵入があったことを知ることとなる。以上のように人体センサが反応して人間の侵入を検知した際には、システムの通信系（電話回線）が稼動するので課金が生じる。
【０００４】
一方、上記のシステムでユーザ自身が自宅に戻ってきた場合に、ユーザ自身に人体センサが反応して上記の画像送信やユーザへの通知を行っても無意味であるし、無駄な課金が生じることにもなる。したがって、上記システムでは、通常、人体センサの入切スイッチが宅内装置本体に備えられている他に、監視エリア外の、玄関あるいは宅内装置を設置した部屋の外にも人体センサの解除スイッチが備えられている。ユーザは帰宅の際に、宅内装置が設置された部屋へ入る前に当該人体センサの解除スイッチを操作して人体センサを解除（不能動）する。なお、ユーザの保有している携帯端末からサーバ装置経由で宅内装置へ人体センサの解除命令を送信することも考えられるが、その場合通信料金が発生するし、操作が面倒であるとか、実際に人体センサが解除されるまでに時間がかかる等の不具合があり現実的ではない。
【０００５】
一方、セキュリティインターホンに係る技術として、帰宅時等にユーザ自身が開扉を伴う警戒解除操作は容易とし、盗犯の侵入時（報知時）には盗犯による発報の解除を難しくしたものが知られているが（特許文献１）、これは遠隔見守りシステムにおける人体センサの解除に関するものではない。
【特許文献１】特開２００３−３６４９０号公報
【発明の開示】
【発明が解決しようとする課題】
【０００６】
上述のように遠隔見守りシステムにおいては、ユーザが帰宅時に、宅内装置が設置された部屋外から、人体センサの解除操作を行う手段（解除スイッチ）が必要なのであるが、この解除スイッチは当然にユーザ以外の第三者が操作できるものであってはならない。そのため、従来は、この解除スイッチとして暗証番号の入力の必要なものを用いたり、カードキーを挿入しなければ動作しないものを用いたりしていたが、暗証番号が必要なものでは、少なくともテンキー入力が可能なハード構成が必要であるし、暗証番号は第三者に漏れる恐れもある。又、カードキーは他人に渡ってしまう恐れがあるし、カードを挿入して内容を読取るハード構成が必要である。なお、前記特許文献１に記載のセキュリティインターホンは、一応暗証番号を用いず、カードキーも用いないものであるが、キーとなる設定パターンの比較は、ボタンが何単位時間押されたか、及び何単位時間無押圧であったかでなされるので（デジタル的な計時であるので）、同じパターンの出現率が比較的高く、何回か繰返すことによって第三者が解除に成功する可能性があると考えられる。
【０００７】
そこで、本発明は、遠隔見守りシステムにおいて、宅内装置が設置された部屋外に人体センサ解除スイッチを備え、該人体センサ解除スイッチのハード構成が極めて簡単にでき、しかもその解除操作が、ユーザにとっては容易であるが、第三者にとってはほとんど不可能であって、第三者により不測に監視が解除される虞れがなく監視システムとしての信頼性が高い、遠隔見守りシステム及び同システムに用いられる宅内装置を提供することを目的とする。
【課題を解決するための手段】
【０００８】
上記課題を解決するための請求項１の発明は、宅内に設置され、監視エリア内への人間の侵入を人体センサが検知することによって自動的に監視エリア内をカメラで撮影する宅内装置と、前記宅内装置にて撮影された画像を電話回線及びインターネットを介して受信すると共に、その画像をインターネット及び電話回線を介して携帯端末に送信するサーバ装置とを備えた遠隔見守りシステムにおいて、前記宅内装置は、宅内装置本体に設けた前記人体センサの入切スイッチと、宅内装置本体から離間した監視エリア外の所定位置に設けられ、ユーザの操作によってハイ／ローの信号を宅内装置へ出力し、該ハイ／ローの信号に基づいて宅内装置が人体センサを不能動にする人体センサの解除スイッチと、前記人体センサの入切スイッチ及び前記人体センサの解除スイッチに接続され各スイッチからの信号に基づいて宅内装置の動作を制御する制御部と、を備え、前記制御部は、前記人体センサの入切スイッチの入操作によって当該宅内装置を所定時間だけ通常モードからパターン登録モードに切替えるモード切替手段と、前記モード切替手段によるパターン登録モードへの切替え時に、ユーザが前記人体センサ解除スイッチの操作を行うことによるハイ／ローの信号を受信し、該ハイ／ロー信号のハイ／ロー反転回数と各ハイ信号、ロー信号の持続時間を記憶して、それを信号パターンとして登録する登録手段と、通常モード時に、前記人体センサ解除スイッチからのハイ／ロー信号を受信し、該ハイ／ロー信号のハイ／ロー反転回数と各ハイ信号、ロー信号の持続時間を認識して、それを前記登録手段に登録された信号パターンと比較する比較手段と、前記比較手段による比較の結果が同一の信号パターンである場合に、前記人体センサを解除するセンサ解除手段と、を備えたことを特徴とする。
【０００９】
また、請求項２の発明は、宅内に設置され、監視エリア内への人間の侵入を人体センサが検知することによって自動的に監視エリア内をカメラで撮影する宅内装置と、前記宅内装置にて撮影された画像を電話回線及びインターネットを介して受信すると共に、その画像をインターネット及び電話回線を介して携帯端末に送信するサーバ装置とを備えた遠隔見守りシステムにおいて、前記宅内装置は、宅内装置本体から離間した監視エリア外に設けられ、ユーザの操作によって宅内装置への出力信号がハイ／ロー反転する人体センサの解除スイッチと、前記人体センサの解除スイッチに接続され該スイッチからのハイ／ロー信号に基づいて人体センサの能動・不能動を制御する制御部と、を備え、前記制御部は、前記人体センサ解除スイッチからのハイ／ロー信号を受信し、該信号のパターンと事前に登録されたパターンとの一致不一致を判定して、一致の場合のみ前記人体センサを不能動にすることを特徴とする。
【００１０】
また、請求項３の発明は、請求項２に記載の発明において、前記信号パターンの要素が、ハイ／ロー信号のハイ／ロー反転回数と各ハイ信号、ロー信号の持続時間であることを特徴とする。
【００１１】
また、請求項４の発明は、請求項２に記載の発明において、前記制御部は、前記人体センサ解除スイッチからのハイ／ロー出力信号を受信し、そのハイ／ロー反転回数と各ハイ信号、ロー信号の持続時間を記憶して、それを信号パターンとして登録する登録手段と、前記人体センサ解除スイッチからのハイ／ロー出力信号を複数回受信し、その複数回の各ハイ信号、ロー信号の平均持続時間を前記登録手段に登録する平均化手段と、を備えたことを特徴とする。
【００１２】
また、請求項５の発明は、請求項２に記載の遠隔見守りシステムに用いられる宅内装置であって、前記宅内装置本体から離間した監視エリア外に設けられ、ユーザの操作によって宅内装置への出力信号がハイ／ロー反転する人体センサの解除スイッチと、前記人体センサの解除スイッチに接続され該スイッチからのハイ／ロー信号に基づいて人体センサの能動・不能動を制御する制御部と、を備え、前記制御部は、前記解除スイッチからのハイ／ロー信号を受信し、該信号のパターンと事前に登録されたパターンとの一致不一致を判定して、一致の場合のみ前記人体センサを不能動にすることを特徴とする。
【発明の効果】
【００１３】
請求項１の発明によれば、ユーザは宅内装置を登録モードへ切替えた後、人体センサ解除スイッチを操作して該スイッチからのハイ／ロー信号を任意に反転させることにより任意の信号パターンを登録することができ、事後の帰宅時等の人体センサ解除時には同じ信号パターンになるように人体センサ解除スイッチを操作すれば（同一人物であれば同じパターンで操作するのは容易である）、容易に人体センサを解除することができる。第三者が信号パターンを真似ようとしても、信号パターンの要素はハイ／ローの反転回数と各ハイ信号、ロー信号の持続時間であるので、極めて困難である。また、人体センサ解除スイッチ自身はハイ／ロー反転する信号を出力するものであればよいので、構造が簡単である。
【００１４】
また、請求項２の発明によれば、ユーザは帰宅時等の人体センサ解除時に、ユーザ自身が登録した信号パターンでセンサ解除スイッチを操作すれば、容易に人体センサを解除することができる。第三者が信号パターンを真似ようとしても、信号パターンはハイ／ローの信号に基づくので、解除は極めて困難である。また、人体センサ解除スイッチ自身はハイ／ロー反転する信号を出力するものであればよいので、構造が簡単である。
【００１５】
また、請求項３の発明によれば、ユーザは、帰宅時等の人体センサ解除時に、ユーザ自身が登録した信号パターンになるように人体センサ解除スイッチを操作すれば、容易に人体センサを解除することができる。第三者が信号パターンを真似ようとしても、信号パターンの要素はハイ／ローの反転回数と各ハイ信号、ロー信号の持続時間であるので、極めて困難である。また、人体センサ解除スイッチ自身はハイ／ロー反転する信号を出力するものであればよいので、構造が簡単である。
【００１６】
また、請求項４の発明によれば、ユーザは、人体センサ解除スイッチを操作して該スイッチからのハイ／ロー出力を任意に反転させることにより任意の信号パターンを登録することができ、事後の帰宅時等の人体センサ解除時には同じ信号パターンになるように人体センサ解除スイッチを操作すれば、容易に人体センサを解除することができる。また、人体センサ解除スイッチからのハイ／ロー信号を複数回受信して、その複数回の各ハイ信号、ロー信号の持続時間の平均を登録するので、ユーザにとって再現しやすい信号パターンを登録することになり、その点でもユーザにとっては解除が容易になる。
【００１７】
また、請求項５の発明によれば、請求項２に記載の遠隔見守りシステムを実現する宅内装置を提供できる。
【発明を実施するための最良の形態】
【００１８】
以下、本発明の一実施形態に係る遠隔見守りシステム、及び当該システムに用いられる宅内装置について図１乃至図５を参照して説明する。図１は、遠隔見守りシステム１の概略構成を示す。同システム１の宅内装置１０は、ユーザが選んだ監視すべき部屋（あるいは場所）に設置される。宅内装置１０は、その本体１０ａに監視エリア内への人間の侵入を検知する人体センサ１６と、該人体センサ１６が人間の侵入を検知することによって自動的に監視エリア内を撮影するカメラ１１と、人体センサ１６の入切スイッチ（センサの反応を有効あるいは無効とするスイッチ）１７を備え、さらに本体１０ａから離間した監視エリア外の所定位置（例えば玄関等）には、コード２０で有線接続した（無線接続でもよい）人体センサ１６の解除スイッチ２１を備えている。遠隔見守りシステム１は、この宅内装置１０と、該宅内装置１０に電話回線及びインターネット４を介して接続したサーバ装置２（Ｗｅｂサーバ）及び宅外のユーザが保持する携帯端末３とから成る。携帯端末３は、入力用のテンキー１８、十字キー１９及び液晶等の表示画面３ａを有する携帯電話又はＰＤＡ（Ｐｅｒｓｏｎａｌ  Ｄｉｇｉｔａｌ  Ａｓｓｉｓｔａｎｔ）である。
【００１９】
宅内装置１０は、人体センサ１６が監視エリア内への人間の侵入を検知するとカメラ１１を撮影動作させ、撮影した画像をインターネット経由又はダイアルアップ接続してサーバ装置２に送信する。サーバ装置２は宅内装置から撮影画像を受信すると、新たに画像を受信した旨を電子メールによってユーザの携帯端末３へメッセージとして送信する。ユーザはその電子メールを受信してメッセージを確認すると、携帯端末３からサーバ装置２にアクセスしてブラウザ上で、サーバ装置２内の撮影画像を確認することができる。
【００２０】
次に、宅内装置１０の構成について図２に基づき説明する。宅内装置１０は、人体センサ１６からの人体検知信号を取込んでカメラを撮影動作させる等の、宅内装置全体の種々の制御を行う、マイクロコンピュータからなる制御部１２と、該制御部１２にインターフェイス１３を介して接続したカメラ１１と、該カメラ１１によって撮影した画像を静止画として記憶しておく画像メモリ１４と、人体センサ１６の入切スイッチ１７と、人体センサ１６の解除スイッチ２１とを備えている。画像メモリ１４に記憶された画像等の情報はモデム１５を介してインターネットへ送信される。
【００２１】
人体センサ１６の入り切りは、宅内装置本体１０ａに備えられた前記入切スイッチ１７によって操作でき、人体センサ１６の解除（つまり、不能動化）は、監視エリア外の解除スイッチ２１の操作によっても可能である。人体センサ１６の解除スイッチ２１は、ユーザの押し及び開放操作によって出力がハイ／ロー反転（ハイからローへの切替わり、及びローからハイへの切替わりを言う）し、この反転する出力信号を制御部１２が取り込んで、取り込んだ信号のパターンを事前に登録されたパターンと比較することにより、パターンが一致すると判定された場合のみ人体センサ１６が解除される。解除スイッチ２１による解除手順については後に詳述する。
【００２２】
まず、人体センサ１６の入切スイッチ１７について説明しておく。人体センサの入切スイッチ１７は、宅内装置の本体１０ａに設けられ人体センサ１６の反応を有効／無効に切替えるスイッチであり、スイッチ１７を「入」にすると、人体センサ１６の人体検知機能を有効とし、「切」にすると人体センサ１６の人体検知機能を無効とする。上記「有効」と「無効」は、人体センサ１６自身への電源を入り切りすることによって実現してもよいし、人体センサ１６から前記制御部１２へ取り込まれる信号の経路を開閉することによって実現してもよく、要するに制御部１２側から見て人体センサ１６による人体検知機能が稼動している状態と、停止している状態とを切替えるものであればよい。なお、人体センサ１６の人体検知機能の「無効」は、後述の人体センサの解除スイッチによる「センサの解除」及び「センサの不能動化」と同義である。
【００２３】
また、本実施形態の入切スイッチ１７では、スイッチ１７を「入」にした直後ではユーザが未だ部屋内（監視エリア内）に存在することから、スイッチ１７が「入」になるのと同時に人体センサ１６を有効とするのではなく、スイッチ１７の「入」への切替え後一定時間（数１０秒程度）は、人体センサ１６を無効のまま維持するようになっており、無駄な撮影、通知等は行われないようになっている。つまり、宅内装置本体１０ａの入切スイッチ１７を「入」にして後、ユーザが部屋を退去するに要する時間程度は人体センサ１６は無効状態を維持するようになっている。そして、本実施形態の宅内装置１０では、前記入切スイッチ１７の「入」への切替え後、上記一定時間よりも若干長い時間（ユーザが部屋を退去して解除スイッチの操作をするに要する時間）だけ、宅内装置１０が通常モードからパターン登録モードへと切替わるようになっている。通常モードとは、人体センサ１６が有効となっていて、人間の侵入を検知すると前述のカメラ１１による撮影、ユーザへの通知等を実行するモードのことを言う。
【００２４】
パターン登録モードとは、人体センサ解除スイッチ２１から制御部１２へ取り込まれる解除スイッチ２１の出力信号を、制御部１２が所定の処理を行って登録パターンとして登録するモードであり、以下図３のフローチャートに基づいて説明する。すなわち、宅内装置本体１０ａの入切スイッチ１７が、ユーザにより「入」へと切替えられると、制御部１２はそれを認識してカウンタｎを０へセットする（Ｓ１１）と共に、タイマＡをスタートさせる（Ｓ１２）。タイマＡは、登録モードの維持時間を計測するものであり、ユーザが部屋を退去した後、解除スイッチ２１のある玄関等まで移動し、解除スイッチ２１を操作するに要する時間であり、例えば３０秒に設定される。ステップＳ１２によってモード切替手段が構成される。
【００２５】
タイマＡによる時間計測を続け（Ｓ１３）、計測時間が所定時間（３０秒）を超えても前記センサ解除スイッチ２１の操作が行われない場合（ステップＳ１３においてイエス）には、パターン登録の変更なしと判断する（Ｓ１４）。所定時間（３０秒）以内にセンサ解除スイッチ２１の操作が行われた場合（つまり、出力信号の反転があった場合、ステップＳ１５においてイエス）は、カウンタｎを１とし（Ｓ１６）、タイマＢをスタートさせる（Ｓ１７）。タイマＢは出力信号の反転持続時間を計測すると共に、登録パターンの長さ（例えば１０秒）を規定するものである。なお、通常の場合、最初の信号の反転はローからハイへの反転であるので、出力信号の形態は図５のようになる。以後の説明では図５の形態の出力信号ＯＰＳがユーザにより生成されたとして説明する。つまり、ステップＳ１５における初回の反転ありの検出は、図５における矢印ｒ１に対応する。
【００２６】
タイマＢのスタート後、出力信号ＯＰＳの反転があれば（ステップＳ１８においてイエス、図５における矢印ｒ２）、その時点のタイマＢの値から、（ｎ−１）回目の反転までの通算のタイマ値を減算した値をＴｎとして登録し（Ｓ１９）、カウンタｎに１を加算する（Ｓ２０）。今、ｎ＝１であるので、通算のタイマ値がゼロになり（Σの値がゼロ）、Ｔ１の値としてはその時点のタイマＢの値そのものが記憶される。これは図５を参照すれば、Ｔ１＝（最初のハイ信号の持続時間）であることが分かる。そして、タイマＢによって規定された確定時間（１０秒）の間、上記ステップＳ１８〜ステップＳ２０が繰返され、出力信号ＯＰＳが反転する度に、その持続時間がＴｎとして記憶される。つまり、図５の信号形態であれば、２回目の反転（ｒ２）から３回目の反転（ｒ３）までの間のロー信号の持続時間がＴ２として記憶され、３回目の反転（ｒ３）から４回目の反転（ｒ４）までの間のハイ信号の持続時間がＴ３として記憶される。
【００２７】
そして、タイマＢによって規定された確定時間（１０秒）が超過したならば（ステップＳ２１においてイエス）、ステップＳ１８〜ステップ２０を繰返すことによって記憶されたＴｎ（信号持続時間）の値を改めて個別のＴｎ（図５の例の場合、Ｔ１、Ｔ２、Ｔ３）として格納する（Ｓ２２）と共に、カウンタｎの値を反転回数Ｐとして格納する（Ｓ２３）。上記ステップＳ１６〜ステップＳ２３で登録手段が構成される。
【００２８】
なお、上記パターン登録の処理を複数回繰返す（ユーザが解除スイッチ２１の登録操作を連続して複数回繰返す）ことによって得られる各回毎の、信号持続時間Ｔｎの平均を算出し、それを平均値としての持続時間として格納するようにしてもよい。つまり、例えばユーザがパターン登録のための解除スイッチ操作を２回繰返すとして、１回目の操作で得られた持続時間をＴ１（１）、Ｔ２（１）、Ｔ３（１）とし、２回目の操作で得られた持続時間をＴ１（２）、Ｔ２（２）、Ｔ３（２）とすると（かっこ内の数字は何回目の操作かを示す）、平均値としての持続時間はＴ１＊＝（Ｔ１（１）＋Ｔ１（２））／２、Ｔ２＊＝（Ｔ２（１）＋Ｔ２（２））／２、Ｔ３＊＝（Ｔ３（１）＋Ｔ３（２））／２となり、これらＴ１＊、Ｔ２＊、Ｔ３＊を格納するようにする。この場合、ユーザの操作の癖（例えば１回目の押し操作は比較的長めになる等の傾向）が、より反映された信号持続時間の値になるので、通常モードに切替えて後の、センサ解除操作時に信号パターンをユーザがより再現しやすくなる効果がある。
【００２９】
以上のようにして、制御部１２による信号パターンの登録がなされるが、次に制御部１２が通常モードに切替わった後の、ユーザによるセンサ解除操作について図４のフローチャートに基づいて説明する。すなわち、ユーザが帰宅時等にセンサ解除スイッチ２１を操作すると（出力信号の反転があった場合、ステップＳ４１においてイエス）、制御部１２はセンサ解除の判定処理を開始して、カウンタｎを１にセットし（Ｓ４２）、タイマＢをスタートさせる（Ｓ４３）。このタイマＢは前述のパターン登録モードにおけるタイマＢと同じく出力信号の反転持続時間を計測すると共に、登録パターンの長さ（例えば１０秒）を規定するものである。
【００３０】
その後のステップＳ４４からステップＳ４７は、パターン登録モードにおけるステップＳ１８からステップＳ２１と同等であるので、パターン登録時と同様に、ユーザがセンサ解除スイッチ２１を操作することによって生成された出力信号ＯＰＳの各ハイ信号の持続時間と各ロー信号の持続時間が、Ｓｎ（Ｓ１、Ｓ２、Ｓ３）として得られ（Ｓ４８）、出力信号ＯＰＳの反転回数がカウンタｎ値として得られ、そのカウンタ値ｎを反転回数Ｑへ格納する（Ｓ４９）。
【００３１】
そして、次に、今、格納された反転回数Ｑとパターン登録時の反転回数Ｐとが同じかどうかが判定され（Ｓ５０）、ノーであれば判定ＮＧ（Ｓ５１）、つまり通常モード時の操作による解除スイッチ２１からの出力信号ＯＰＳは、登録パターンとは同一ではないという判定になる。
【００３２】
ステップＳ５０においてイエス（反転回数Ｐと反転回数Ｑが同じ）であれば、カウンタｉを１にセットして（Ｓ５２）、前記ステップＳ４８で得た信号持続時間Ｓ１とパターン登録時の信号持続時間Ｔ１とが等しい、あるいは近い値であるかどうかを判断する（Ｓ５３）。ここで、信号持続時間Ｓ１と信号持続時間Ｔ１が近い値であるかどうかも含めて判断するのは、出力信号ＯＰＳの生成がユーザのマニュアル操作でなされることから、出力信号の信号持続時間Ｓ１と信号持続時間Ｔ１が完全に一致することは、むしろ稀であり、若干の幅を持って判断する方が現実的であるという経験に基づくものである。
【００３３】
ステップＳ５３においてノーであれば、判定ＮＧ（Ｓ５１）となり、イエスであれば、カウンタｉに１加算する（Ｓ５４）。そして、カウンタｉの値がパターン登録時の反転回数Ｐを超えていないかどうか判断し（Ｓ５５）、超えていなければステップＳ５３へ戻り、次の持続時間Ｓ２についての持続時間Ｔ２との比較を行う。上記ループを繰り返すことにより、各持続時間Ｓ１、Ｓ２、Ｓ３についてパターン登録時の各持続時間Ｔ１、Ｔ２、Ｔ３との比較がなされ、全て等しい、あるいは近い値であった場合には、判定ＯＫ（Ｓ５６）となって、人体センサ１６が解除される（Ｓ５７）。ステップＳ４１からステップＳ５６で比較手段が構成され、ステップＳ５７でセンサ解除手段が構成される。
【００３４】
以上のように、通常モード時にユーザが解除スイッチ２１を操作して生成した出力信号ＯＰＳの反転回数Ｑ及び各信号持続時間Ｓｎと、パターン登録時に登録された反転回数Ｐ及び各信号持続時間Ｔｎが、制御部１２によって比較され、その結果両出力信号が同一の信号パターンであると判断された場合に、初めて人体センサ１６が解除される。また、ユーザ以外の第三者が解除スイッチ２１を適当に操作しても、生成される出力信号は反転回数Ｑと各信号持続時間Ｓｎの全てが登録された反転回数Ｐと信号持続時間Ｔｎに一致することは、皆無に近く、第三者は人体センサ１６を解除することができない。特に、各信号持続時間はユーザの感覚で覚えた任意の時間（アナログ時間）であるので、仮に第三者が、ユーザのパターン登録時の操作を傍らで見ていて、それを事後に真似ようとしても不可能である。
【図面の簡単な説明】
【００３５】
【図１】本発明の一実施形態に係る遠隔見守りシステムの概略構成を示すシステム構成図。
【図２】同遠隔見守りシステムの宅内装置の概略構成を示すブロック図。
【図３】同宅内装置のパターン登録モード時の処理を示すフローチャート。
【図４】同宅内装置の通常モード時のセンサ解除判定処理を示すフローチャート。
【図５】同宅内装置のセンサ解除スイッチからの出力信号の一例を示す図。
【符号の説明】
【００３６】
１  遠隔見守りシステム
２  サーバ装置
３  携帯端末
３ａ  表示画面
４  インターネット
１０  宅内装置
１０ａ  宅内装置本体
１１  カメラ
１２  制御部（モード切替手段、登録手段、比較手段、センサ解除手段、平均化手段）
１５  モデム
１６  人体センサ
１７  人体センサの入切スイッチ
２１  人体センサの解除スイッチ
ｒ１、ｒ２、ｒ３、ｒ４  信号の反転
ＯＰＳ  出力信号
Ｐ  反転回数
Ｑ  反転回数
Ｔｎ  信号持続時間
Ｔ１  ハイ信号持続時間
Ｔ２  ロー信号持続時間
Ｔ３  ハイ信号持続時間
Ｓｎ  信号持続時間
Ｓ１  ハイ信号持続時間
Ｓ２  ロー信号持続時間
Ｓ３  ハイ信号持続時間
【図１】
2006065390.tif 000003
【図２】
2006065390.tif 000004
【図３】
2006065390.tif 000005
【図４】
2006065390.tif 000006
【図５】
2006065390.tif 000007